(57)【要約】【課題】利用者の種類に応じた展示品の詳細なガイドを、十分な電源を内蔵していなくても送受信して表示する。【解決手段】電子ガイド装置１４は、発光機能を持たず保持電力を消費しない表示デバイス１８と、表示デバイス１８の表示画像を更新する書き換え制御回路２０と、問い合わせ信号に応答して利用者識別情報２２を送信する送信機２４と、ガイドデータ２８を受信して書き換え制御回路２０に供給する受信機３０と、電磁誘導により取得した電力を装置各部に供給して駆動する電源回路３２とを備える。リーダライタ装置１６は、電子ガイド装置１４に電磁誘導により電力を供給する電力供給回路３４と、問い合わせ信号を送信して利用者識別情報２２を取得する問い合わせ回路３６と、利用者の種別に応じた展示品２６のガイドデータ２８を送信するデータ書き込み回路とを備える。【選択図】図１
2008077564.tif 000002
【特許請求の範囲】
【請求項１】
画像を表示するとともに当該画像の画像データを記憶した状態を持続して、前記画像を継続して表示する記憶性表示部と、
前記記憶性表示部に前記画像データを記憶させて、前記画像を表示させる表示制御回路部と、
識別に用いる識別情報を送信する送信部と、
前記画像データを受信して前記画像データを前記表示制御回路部に供給する受信部と、
電磁誘導により取得した電力を供給して駆動する電源回路部と、
を有する電子表示装置と、
前記電源回路部に電磁誘導により前記電力を供給する電力供給回路部と、
前記電子表示装置に対して問い合わせ信号を送信して、前記送信部から送信された前記識別情報を取得する問い合わせ回路部と、
前記受信部に対して、前記識別情報により選択された種別に応じた前記画像データを送信するデータ書き込み回路部と、
を有するリーダライタ装置とを備えたことを特徴とする電子ガイドシステム。
【請求項２】
発光機能を持たず、静止画表示状態で保持電力を消費しない表示デバイスと、この表示デバイスの表示画像を更新する書き換え制御回路と、問い合わせ信号に応答して利用者を識別するための利用者識別情報を送信する送信機と、展示品を説明するためのガイドデータを受信して書き換え制御回路に供給する受信機と、電磁誘導により取得した電力を装置各部に供給して駆動する電源回路とを有する電子ガイド装置と、
前記電子ガイド装置の電源回路に電磁誘導により電力を供給する電力供給回路と、前記電子ガイド装置に対して問い合わせ信号を送信して、前記送信機から利用者識別情報を取得する問い合わせ回路と、前記受信機に対して、前記利用者識別情報により選択された利用者の種別に応じた展示品のガイドデータを送信するデータ書き込み回路とを有するリーダライタ装置とを備えたことを特徴とする電子ガイドシステム。
【請求項３】
請求項２に記載の電子ガイドシステムにおいて、
前記リーダライタ装置は、それぞれ異なる展示品を説明する複数のガイドデータに所定の順位を付して記憶する記憶装置を備え、この記憶装置は、前記利用者識別情報と直前に送信をしたガイドデータの順位を示す情報とを記憶し、問い合わせ回路が、新たに前記送信機に対して問い合わせ信号を送信して、既に記憶された利用者識別情報が取得されたとき、前記データ書き込み回路は、前記ガイドデータの順位を参照して、次の順位のガイドデータを前記受信機に対して送信することを特徴とする電子ガイドシステム。
【請求項４】
請求項２に記載の電子ガイドシステムにおいて、
前記展示品には展示品識別情報表示手段が取り付けられ、
前記リーダライタ装置は、前記展示品識別情報を登録して記憶する登録手段と、前記展示品のガイドデータを記憶する記憶装置と、装置の起動時に、展示品識別情報表示手段の表示する展示品識別情報と前記登録手段により登録された展示品識別情報とを比較して、その比較結果を出力する照合手段を備えることを特徴とする電子ガイドシステム。
【請求項５】
請求項４に記載の電子ガイドシステムにおいて、
前記登録手段は、複数の展示品の展示品識別情報を登録して記憶し、前記記憶手段は、前記複数の展示品のガイドデータを記憶し、前記照合手段は、リーダライタ装置の起動時に、前記全ての展示品の展示品識別情報を取得して、前記登録手段により登録された展示品識別情報と比較して、その比較結果を出力することを特徴とする電子ガイドシステム。
【請求項６】
請求項４に記載の電子ガイドシステムにおいて、
前記照合手段は、予め定められた時刻に、繰り返し所定のタイミングで前記展示品の展示品識別情報を自動的に取得して、前記登録手段により登録された展示品識別情報と比較して、その比較結果を出力することを特徴とする電子ガイドシステム。
【請求項７】
請求項２に記載の電子ガイドシステムにおいて、
前記リーダライタ装置のデータ書き込み回路は、利用者の種別に応じた展示場案内を含むガイドデータを送信することを特徴とする電子ガイドシステム。
【請求項８】
発光機能を持たず、静止画表示状態で保持電力を消費しない表示デバイスと、この表示デバイスの表示画像を更新する書き換え制御回路と、問い合わせ信号に応答して利用者を識別するための利用者識別情報を送信する送信機と、展示品を説明するためのガイドデータを受信して書き換え制御回路に供給する受信機と、電磁誘導により取得した電力を装置各部に供給して駆動する電源回路とを備えた電子ガイド装置を制御するためのものであって、
前記電子ガイド装置の電源回路に電磁誘導により電力を供給する電力供給回路と、前記送信機に対して問い合わせ信号を送信して、前記利用者識別情報を取得する問い合わせ回路と、前記受信機に対して、前記利用者識別情報により判定された利用者の種別に応じた展示品のガイドデータを送信するデータ書き込み回路とを備えたリーダライタ装置。
【請求項９】
リーダライタ装置のコンピュータを、
利用者の種別に応じた展示品のガイドデータを記憶した記憶手段と、
電子ガイド装置の送信機に対して問い合わせ信号を送信して、利用者を識別するための利用者識別情報を取得する問い合わせ手段と、
前記電子ガイド装置の受信機に対して、前記利用者識別情報により判定された利用者の種別に応じた展示品のガイドデータを送信するデータ書き込み回路と、
電磁誘導により電力を供給して起動した電子ガイド装置の書き換え制御回路により、電子ガイド装置の表示デバイスの表示画像を前記ガイドデータの内容に更新させるデータ書き込み手段、
として機能させる電子ガイドシステム用プログラム。
【請求項１０】
リーダライタ装置のコンピュータを、
利用者の種別に応じた展示品のガイドデータを記憶した記憶手段と、
電子ガイド装置の送信機に対して問い合わせ信号を送信して、利用者を識別するための利用者識別情報を取得する問い合わせ手段と、
前記電子ガイド装置の受信機に対して、前記利用者識別情報により判定された利用者の種別に応じた展示品のガイドデータを送信するデータ書き込み回路と、
電磁誘導により電力を供給して起動した電子ガイド装置の書き換え制御回路により、電子ガイド装置の表示デバイスの表示画像を前記ガイドデータの内容に更新させるデータ書き込み手段、
として機能させる電子ガイドシステム用プログラムを記録したコンピュータで読み取り可能な記録媒体。
【請求項１１】
記憶手段が、利用者の種別に応じた展示品のガイドデータを記憶するステップと、
問い合わせ手段が、電子ガイド装置の送信機に対して問い合わせ信号を送信して、利用者を識別するための利用者識別情報を取得するステップと、
データ書き込み回路が、前記電子ガイド装置の受信機に対して、前記利用者識別情報により判定された利用者の種別に応じた展示品のガイドデータを送信するステップと、
データ書き込み手段が、電磁誘導により電力を供給して起動した電子ガイド装置の書き換え制御回路により、電子ガイド装置の表示デバイスの表示画像を前記ガイドデータの内容に更新するステップ、
とを含む電子ガイドシステムのリーダライタ制御方法。
【発明の詳細な説明】
【技術分野】
【０００１】
本発明は、美術館や博物館等において、展示品の詳細なガイドを利用者に個別に表示するために用いられる電子ガイドシステムと電子ガイドシステム用プログラムと記録媒体とそのリーダライタ制御方法に関する。
【背景技術】
【０００２】
美術館や博物館等において、展示品の説明は壁や展示棚部分に表示される。しかし、表示できる文字数や文字サイズの制限により詳細な説明は難しく、多言語にも対応できない。そこで、携帯電話や携帯端末装置を使用して詳細な説明文を紹介する技術が開発されている（特許文献１および特許文献２参照）。
【特許文献１】特開２００５−２３５１６６号公報
【特許文献２】特開２００２−３２９１２５号公報
【発明の開示】
【発明が解決しようとする課題】
【０００３】
しかし、携帯電話を多用すると騒音が激しくなる。また、ディスプレイが小さいから表示できる情報に限界がある。携帯端末装置を使用しても同様の問題があり、また、高い頻度で説明文の送受信を繰り返すと、バッテリの消耗が激しい。本発明は、これらの課題を解決するためになされた。本発明は、利用者の種類に応じた展示品の詳細なガイドを、十分な電源を内蔵していなくても送受信して表示できる、電子ガイドシステムと電子ガイドシステム用プログラムと記録媒体とそのリーダライタ制御方法を提供することを目的とする。
【課題を解決するための手段】
【０００４】
以下の構成は上記の課題を解決するための手段である。
〈構成１〉画像を表示するとともに当該画像の画像データを記憶した状態を持続して、上記画像を継続して表示する記憶性表示部と、上記記憶性表示部に上記画像データを記憶させて、上記画像を表示させる表示制御回路部と、識別に用いる識別情報を送信する送信部と、上記画像データを受信して上記画像データを上記表示制御回路部に供給する受信部と、電磁誘導により取得した電力を供給して駆動する電源回路部とを有する電子表示装置と、上記電源回路部に電磁誘導により上記電力を供給する電力供給回路部と、上記電子表示装置に対して問い合わせ信号を送信して、上記送信部から送信された上記識別情報を取得する問い合わせ回路部と、上記受信部に対して、上記識別情報により選択された種別に応じた上記画像データを送信するデータ書き込み回路部とを有するリーダライタ装置とを備えたことを特徴とする電子ガイドシステム。
【０００５】
識別情報により選択された種別に応じた画像データが、リーダライタ装置から電子表示装置に自動的に送信される。記憶性表示部は、次の画像データに書き換えられるまで、表示画像をそのまま継続して表示することができる。
【０００６】
〈構成２〉発光機能を持たず、静止画表示状態で保持電力を消費しない表示デバイスと、この表示デバイスの表示画像を更新する書き換え制御回路と、問い合わせ信号に応答して利用者を識別するための利用者識別情報を送信する送信機と、展示品を説明するためのガイドデータを受信して書き換え制御回路に供給する受信機と、電磁誘導により取得した電力を装置各部に供給して駆動する電源回路とを有する電子ガイド装置と、上記電子ガイド装置の電源回路に電磁誘導により電力を供給する電力供給回路と、上記電子ガイド装置に対して問い合わせ信号を送信して、上記送信機から利用者識別情報を取得する問い合わせ回路と、上記受信機に対して、上記利用者識別情報により選択された利用者の種別に応じた展示品のガイドデータを送信するデータ書き込み回路とを有するリーダライタ装置とを備えたことを特徴とする電子ガイドシステム。
【０００７】
高齢者、子供、外国人といった、利用者の種別に応じた展示品のガイドデータを、電子ガイド装置に個別に表示するので分かり易い。表示デバイスは発光機能を持たず、静止画表示状態で保持電力を消費しないから、電源が不要で装置が軽量化できる。ガイドデータの書き換え処理時には、リーダライタ装置から電力を供給できる。
【０００８】
〈構成３〉構成２に記載の電子ガイドシステムにおいて、上記リーダライタ装置は、それぞれ異なる展示品を説明する複数のガイドデータに所定の順位を付して記憶する記憶装置を備え、この記憶装置は、上記利用者識別情報と直前に送信をしたガイドデータの順位を示す情報とを記憶し、問い合わせ回路が、新たに上記送信機に対して問い合わせ信号を送信して、既に記憶された利用者識別情報が取得されたとき、上記データ書き込み回路は、上記ガイドデータの順位を参照して、次の順位のガイドデータを上記受信機に対して送信することを特徴とする電子ガイドシステム。
【０００９】
複数の展示品があっても、１台のリーダライタ装置でこれらの展示品を説明する複数のガイドデータを送信できる。電子ガイド装置をリーダライタ装置に近づけると、最初のガイドデータが書き込まれる。その後に再び電子ガイド装置をリーダライタ装置に近づけると、次の順位のガイドデータに書き換えられる。
【００１０】
〈構成４〉構成２に記載の電子ガイドシステムにおいて、上記展示品には展示品識別情報表示手段が取り付けられ、上記リーダライタ装置は、上記展示品識別情報を登録して記憶する登録手段と、上記展示品のガイドデータを記憶する記憶装置と、装置の起動時に、展示品識別情報表示手段の表示する展示品識別情報と上記登録手段により登録された展示品識別情報とを比較して、その比較結果を出力する照合手段を備えることを特徴とする電子ガイドシステム。
【００１１】
リーダライタ装置は特定の展示品のガイドデータを電子ガイド装置に送信する。その展示品の展示場所が変更になったときに、リーダライタ装置と展示品との関係を自動的に確認できる。
【００１２】
〈構成５〉構成４に記載の電子ガイドシステムにおいて、上記登録手段は、複数の展示品の展示品識別情報を登録して記憶し、上記記憶手段は、上記複数の展示品のガイドデータを記憶し、上記照合手段は、リーダライタ装置の起動時に、上記全ての展示品の展示品識別情報を取得して、上記登録手段により登録された展示品識別情報と比較して、その比較結果を出力することを特徴とする電子ガイドシステム。
【００１３】
リーダライタ装置が複数の展示品のガイドデータを取り扱うときは、これらの展示品識別情報を全て登録しておく。そして、起動時に全ての展示品の展示品識別情報を取得して自動的に照合する。これで、ガイドデータの不一致を防止できる。
【００１４】
〈構成６〉構成４に記載の電子ガイドシステムにおいて、上記照合手段は、予め定められた時刻に、繰り返し所定のタイミングで上記展示品の展示品識別情報を自動的に取得して、上記登録手段により登録された展示品識別情報と比較して、その比較結果を出力することを特徴とする電子ガイドシステム。
【００１５】
リーダライタ装置が短い周期で繰り返し各展示品の識別情報を読み取って、登録した展示品識別情報と比較する。展示品が無断で移動されたような場合には比較結果に異常が生じるから、警報を発することができる。
【００１６】
〈構成７〉構成２に記載の電子ガイドシステムにおいて、上記リーダライタ装置のデータ書き込み回路は、利用者の種別に応じた展示場案内を含むガイドデータを送信することを特徴とする電子ガイドシステム。
【００１７】
展示場入り口付近では、展示場全体の案内を必要とする。利用者の種別に応じた展示場案内をガイドデータに含めることができるようにした。
【００１８】
〈構成８〉発光機能を持たず、静止画表示状態で保持電力を消費しない表示デバイスと、この表示デバイスの表示画像を更新する書き換え制御回路と、問い合わせ信号に応答して利用者を識別するための利用者識別情報を送信する送信機と、展示品を説明するためのガイドデータを受信して書き換え制御回路に供給する受信機と、電磁誘導により取得した電力を装置各部に供給して駆動する電源回路とを備えた電子ガイド装置を制御するためのものであって、上記電子ガイド装置の電源回路に電磁誘導により電力を供給する電力供給回路と、上記送信機に対して問い合わせ信号を送信して、上記利用者識別情報を取得する問い合わせ回路と、上記受信機に対して、上記利用者識別情報により判定された利用者の種別に応じた展示品のガイドデータを送信するデータ書き込み回路とを備えたリーダライタ装置。
【００１９】
〈構成９〉リーダライタ装置のコンピュータを、利用者の種別に応じた展示品のガイドデータを記憶した記憶手段と、電子ガイド装置の送信機に対して問い合わせ信号を送信して、利用者を識別するための利用者識別情報を取得する問い合わせ手段と、上記電子ガイド装置の受信機に対して、上記利用者識別情報により判定された利用者の種別に応じた展示品のガイドデータを送信するデータ書き込み回路と、電磁誘導により電力を供給して起動した電子ガイド装置の書き換え制御回路により、電子ガイド装置の表示デバイスの表示画像を上記ガイドデータの内容に更新させるデータ書き込み手段、として機能させる電子ガイドシステム用プログラム。
【００２０】
〈構成１０〉リーダライタ装置のコンピュータを、利用者の種別に応じた展示品のガイドデータを記憶した記憶手段と、電子ガイド装置の送信機に対して問い合わせ信号を送信して、利用者を識別するための利用者識別情報を取得する問い合わせ手段と、上記電子ガイド装置の受信機に対して、上記利用者識別情報により判定された利用者の種別に応じた展示品のガイドデータを送信するデータ書き込み回路と、電磁誘導により電力を供給して起動した電子ガイド装置の書き換え制御回路により、電子ガイド装置の表示デバイスの表示画像を上記ガイドデータの内容に更新させるデータ書き込み手段、として機能させる電子ガイドシステム用プログラムを記録したコンピュータで読み取り可能な記録媒体。
【００２１】
〈構成１１〉記憶手段が、利用者の種別に応じた展示品のガイドデータを記憶するステップと、問い合わせ手段が、電子ガイド装置の送信機に対して問い合わせ信号を送信して、利用者を識別するための利用者識別情報を取得するステップと、データ書き込み回路が、上記電子ガイド装置の受信機に対して、上記利用者識別情報により判定された利用者の種別に応じた展示品のガイドデータを送信するステップと、データ書き込み手段が、電磁誘導により電力を供給して起動した電子ガイド装置の書き換え制御回路により、電子ガイド装置の表示デバイスの表示画像を上記ガイドデータの内容に更新するステップ、とを含む電子ガイドシステムのリーダライタ制御方法。
【発明を実施するための最良の形態】
【００２２】
電子表示装置は、記憶性表示部を備えている。また、リーダライタ装置は記憶性表示部に表示させる画像の画像データを、電子表示装置に送信する装置である。記憶性表示部は画像を表示する機能を持つ。さらに、当該画像の画像データを記憶した状態をそのまま持続する。その結果、上記画像を継続して表示する。その例として、いわゆる電子ペーパが適する。以下の実施例では記憶性表示部を表示デバイスと表現して説明を進める。表示制御回路部は、記憶性表示部に画像データを記憶させて、該当する画像を表示させる機能を持つ。以下の実施例では、繰り返し表示画像を書き換えるので、書き換え制御回路と表現して説明を進める。送信部は識別情報を送信する。識別情報は画像データを選択するために使用される。何を識別する情報かは、用途に応じて自由に定めればよい。特定の情報を送信する送信部と受信部を、以下の実施例では、送信機、受信機と表現して説明を進める。電源回路部は電子表示装置の各部に駆動用電力を供給する機能を持つ。以下の実施例では同様の部分を単に電源回路と表現して説明を進める。なお、この電源回路部以外に、例えば、充電式電池が補助的に組み込まれてもいても構わない。電力供給回路部は、電源回路部に対して電磁誘導により前記電力を供給する機能を持つ。以下の実施例では、同様の部分を電力供給回路と表現して説明を進める。問い合わせ回路部は識別情報を取得する送受信機能を持つ。以下の実施例では、同様の部分を問い合わせ回路と表現して説明を進める。データ書き込み回路部は、識別情報により選択された種別に応じた画像データを電子表示装置に送信する機能を持つ。以下の実施例では、同様の部分をデータ書き込み回路と表現して説明を進める。以下の構成２以下の実施例では、展示品の利用者毎のガイドデータを表示するケースを説明する。しかし、本発明は、識別情報により選択された種別に応じた画像データが電子表示装置に自動的に送信されて表示されるという機能を生かした各種の用途に応用できる。いずれの実施例も、その用途に応じて変形を加えればよい。以下、本発明の実施の形態を実施例毎に詳細に説明する。
【実施例１】
【００２３】
図１は実施例１の電子ガイドシステムを示すブロック図である。
電子ガイドシステム１０は、電子ガイド装置１４とリーダライタ装置１６とを備えている。電子ガイド装置１４は、表示デバイス１８と記憶装置１２と各種制御回路を備える。表示デバイス１８は、発光機能を持たず、静止画表示状態で保持電力を消費しない表示装置である。表示デバイス１８には、例えば、マイクロカプセル型電気泳動ディスプレイ、ツイストボール型電子ペーパー、電子粉流体型電子ペーパー、インプレーン型電気泳動ディスプレイ、粒子移動型電子ペーパー、着色溶液型電気泳動ディスプレイ等が利用できる。これらは、視野角が広く、コントラストが大きくて印刷した文書のように見やすい。いずれも、書き換え時には電力が必要であるが、書き換え後は表示画像を維持できる。ここに、ガイドデータ２８が表示される。ガイドデータ２８は展示品２６を説明するためのものである。文字でも絵でも構わない。表示デバイス１８に表示できる範囲のビットマップ形式のデータが適する。ガイドデータ２８は、利用者の種別に応じてそれぞれ別のものが用意されている。利用者の種別とは、高齢者、子供、外国人といった区別である。それぞれガイドデータ２８の内容を最適化することにより、利用者に応じて展示品２６を十分に理解できるようになる。
【００２４】
図２は美術館の展示場の一部外観図である。
図１に示した電子ガイド装置１４やリーダライタ装置１６の内部構成を説明する前に、先にこれらの使用方法を説明する。図２に示すように、例えば、博物館に展示される展示品２６は、展示台３８の上に陳列されている。展示台３８の正面にはネームプレート３９が固定されている。ここに展示品の名前や表題が記入される。展示品２６の裏側や底、あるいは展示台３８の一部にＩＣタグ４０が貼り付けられている。このＩＣタグ４０は後で説明するように、リーダライタ装置１６との関係付けに使用する。展示台３８の側方にはスタンド４３が立てられ、スタンド４３の上部に案内プレート４２が固定されている。ここに展示品２６の簡単な説明が表示されている。
【００２５】
スタンド４３の上部には、リーダライタ装置１６が固定されている。ボックス状の箱の中に、図１に示したような回路ブロックが組み込まれている。もちろん、スタンド４３や案内プレート４２の内部に組み込まれても構わない。スタンド４３は防護柵の役割を果たすチェン４４によって、隣りの展示品の前のスタンド４３に連結されている。リーダライタ装置１６の使用方法を図２の一点鎖線の円Ｒ中に示す。利用者は展示品２６の前に進んで、ネームプレート３９や案内プレート４２に書き込まれた内容を読む。このとき各利用者は、それぞれ一台の電子ガイド装置１４を所持している。電子ガイド装置１４をリーダライタ装置１６に近づけると、電子ガイド装置１４に電力が供給されて表示デバイス１８の書き換え処理が実行される。こうして利用者は表示デバイス１８に表示された展示品２６の詳細な説明（ガイドデータ２８）を読むことができる。
【００２６】
再び図１に戻る。電子ガイド装置１４の記憶装置１２には利用者識別情報２２が記憶されている。表示すべきガイドデータ２８を選択するために使用されるデータである。例えば、美術館の入り口で利用者に電子ガイド装置１４が手渡されるときに、利用者識別情報２２が書き込まれる。記憶装置１２はデータ保持のための電力を消費しない不揮発性メモリが好ましい。利用者識別情報２２は、利用者の種別を直接識別するデータでもよいし、対応表等を参照して間接的に識別できるデータでもよい。また、利用者の種別のみを区別できるデータでもよいし、全ての利用者を個々に区別できるデータでもよい。電子ガイド装置１４には、その表示制御のために、書き換え制御回路２０と受信機３０と送信機２４とが設けられている。さらに、送受信用のアンテナ１７と電力供給用の電源回路３２を備えている。
【００２７】
書き換え制御回路２０は、表示デバイス１８の表示画像を更新する機能を持つ。送信機２４は、リーダライタ装置１６から送信される問い合わせ信号に応答して利用者識別情報２２を送信する機能を持つ。受信機３０は、リーダライタ装置１６から展示品２６を説明するためのガイドデータ２８を受信して書き換え制御回路２０に供給する機能を持つ。電源回路３２は、コイル３３を通じて電磁誘導により取得した電力を装置各部に供給して駆動する機能を持つ。
【００２８】
リーダライタ装置１６は、電力供給回路３４と問い合わせ回路３６とデータ書き込み回路３７を備える。記憶装置２９は利用者識別情報２２と選択テーブル２３とガイドデータ２８を記憶する。電力供給回路３４は、電子ガイド装置１４の電源回路３２にコイル３５を用いて電磁誘導により電力を供給する機能を持つ。問い合わせ回路３６は、電子ガイド装置１４に対してアンテナ３１を通じて問い合わせ信号を送信し、送信機２４から利用者識別情報２２を取得する機能を持つ。データ書き込み回路３７は、電子ガイド装置１４の受信機３０に対して、ガイドデータ２８を送信する機能を持つ。このガイドデータ２８は、利用者識別情報２２を指定すると、選択テーブル２３により選択される。従って、利用者の種別に応じた展示品２６の説明が表示デバイス１８に表示される。
【００２９】
図３は、利用者識別情報の説明図である。
この図に示すように、例えば、日本人の子供向けに美術品の展示品の説明が準備される。例えば、小学校、中学校、高校といった説明レベルを設定しておく。詳しさや言葉使いを変えればよい。子供向けにはふりがなを付けた説明書を提供する。高齢者には大きな文字で書かれた説明書を提供する。一般人であっても、特に美術品に詳しい人とそうでない人の説明の内容を変えるとよい。外国人については、英語、ドイツ語、中国語、韓国語、といった選択ができるようにするとよい。こうした利用者の種別に応じたガイドデータを多数準備するとよい。各ガイドデータにはこの図に示すような利用者識別情報２２を付加するとよい。利用者識別情報２２はガイドデータと対応付けて保存されていてもよいし、ガイドデータのファイルのファイル名と兼用させてもよい。
【００３０】
以上の電子ガイドシステムは、展示品毎に、利用者の種別に応じたガイドデータ２８を、利用者が個別に所持する電子ガイド装置に表示するので分かり易い。表示デバイス１８は発光機能を持たず、静止画表示状態で保持電力を消費しないから、電源が不要で装置が薄型軽量化できる。発光しないから、美術館等で持ち歩いて使用するときに、美術鑑賞のための環境を阻害しない。また、ガイドデータ２８の書き換え処理時には、リーダライタ装置１６から簡単に電力を供給できる。表示デバイス１８は、静止画表示状態で保持電力を消費しないから、展示品２６の詳細な説明を表示させたままゆっくりと読むことができる。
【００３１】
また、上記の実施例では、書き換え制御回路２０の動作に電力が必要であるから、電磁誘導により電力を供給する既知の方式を採用した。これにより、コネクタ等を使用する必要が無く、コードレスにできる。問い合わせ信号に応答して識別情報を送信する機能は、既知のＩＣタグと同様の機能である。この通信にも、送信機２４側に電源を必要としないので、電子ガイド装置１４を無電源化できる。なお、ガイドデータ２８はリーダライタ装置１６の内部に設けられた記憶装置１２に記憶されているのが好ましい。また、例えば、ＵＳＢメモリ等の着脱可能な記憶媒体に記憶されていると、それぞれ特定の展示品の前に配置されたリーダライタ装置のガイドデータを個別に記憶させた記憶媒体を用意して、例えば、開館前に装着すればよい。従って、データ管理が容易になる。また、各リーダライタ装置１６にネットワークを通じて接続されたサーバに記憶されていて、要求に応じて転送するようにしても構わない。ネットワークは無線ＬＡＮでもよいし、図２に示したチェン４４に沿って敷設したＬＡＮケーブルでも構わない。
【実施例２】
【００３２】
図４は実施例２に使用するリーダライタ装置の主要部ブロック図である。
この実施例のリーダライタ装置の記憶装置２９は、それぞれ異なる展示品Ａ、Ｂ、Ｃ、Ｄを説明するための複数のガイドデータ２８を記憶している。即ち、１台のリーダライタ装置で複数の展示品のガイドデータを管理する。このとき、一人の利用者に複数のガイドデータを重複無く送信する必要がある。また、複数の利用者に対しても、それぞれ適切にガイドデータを送信する必要がある。そこで、次のような構成を採用する。まず、記憶装置２９にガイドデータ２８を所定の順位を付して記憶させる。例えば、名前順に記憶させる。あるいは、優先順位を付けて、その順番を付して記憶させる。
【００３３】
同時に、利用者の電子ガイド装置１４に対してガイドデータ２８を送信したときにその結果を記録しておく。即ち、記憶装置１２は、利用者識別情報２２と直前に送信をしたガイドデータ２８の順位を示す情報とを記憶する。これにより、どの利用者が現在どのガイドデータを電子ガイド装置に表示しているか分かる。そして、新たにその利用者が電子ガイド装置１４をリーダライタ装置１６に近づけたときには、次の順位のガイドデータ２８を送信する。即ち、問い合わせ回路３６が、新たに送信機２４に対して問い合わせ信号を送信して、既に記憶された利用者識別情報２２が取得されたかどうかを判断する。データ書き込み回路は、ガイドデータ２８の順位を参照して、次の順位のガイドデータ２８を受信機３０に対して送信する。
【００３４】
以上の処理によって、複数の展示品２６があっても、１台のリーダライタ装置１６でこれらの展示品２６を説明する複数のガイドデータ２８を順に送信できる。例えば、図２に示したスタンド４３の周囲に複数の展示品が配置されているような場合に適する。電子ガイド装置１４をリーダライタ装置１６に近づけると、最初のガイドデータ２８が書き込まれる。その後、電子ガイド装置１４をリーダライタ装置１６に近づける度に、次の順位のガイドデータ２８に書き換えられる。利用者は全く意識しなくてよい。ガイドデータ２８の記憶順位は、展示品２６の展示配置順が好ましい。ガイドデータ２８の順位を示す情報は数字でも文字でも構わない。記憶装置１２に記憶した全てのガイドデータ２８に順位を付けてサイクリックに書き換え制御をするとよい。記憶装置には、順位カウンタ４７を設ける。プログラムカウンタである。１回の送信処理毎にインクリメントされる。これは、利用者毎に設ける。利用者識別情報２２と順位カウンタ４７とをキーにしてセレクタ４６によりガイドデータ２８を選択する。こうして選択されたガイドデータ２８が電子ガイド装置１４に送信される。
【００３５】
なお、上記の電子ガイド装置の１画面には、２以上の展示品２６の説明を含めてもよい。また、１個の展示品２６の説明を２画面以上に分割して表示しても構わない。いずれの場合でも、電子ガイド装置１４をリーダライタ装置１６に近づけるという操作で表示画面の切り替えができるので、１台のリーダライタ装置１６で複数の展示品２６のガイドデータ２８の表示を制御することができる。利用者を個別に識別できる利用者識別情報２２と直前に送信をしたガイドデータ２８の順位を示す情報とを記憶しておけば、複数の利用者があっても利用者毎に、ガイドデータ２８を適切に順番に書き換えできる。
【実施例３】
【００３６】
図５は、実施例３のリーダライタ装置のブロック図である。
上記のようなリーダライタ装置１６は特定の展示品２６のガイドデータ２８を電子ガイド装置１４に送信する。利用者は、展示品２６の前あるいは展示品２６の近くに配置されたリーダライタ装置１６を使用して、該当するガイドデータ２８を取得する。リーダライタ装置１６は展示品２６毎に設けられる。複数の展示品２６のガイドデータ２８を取り扱うにしても、リーダライタ装置１６はいずれかの展示品２６専用のものになる。従って、例えば、その展示品２６の展示場所が変更になったときは、対応するリーダライタ装置１６を同時に展示品２６の近くまで移動しなければならない。そこで、リーダライタ装置１６とガイドデータ２８とを結びつけるために、この実施例の構成を採用する。この実施例では、リーダライタ装置１６に、展示品識別情報５０の登録手段５１と照合手段５４とを設ける。
【００３７】
登録手段５１は、展示品識別情報リスト５２を生成する機能を持つ。図５の例では、４種類の展示品に対する４種のガイドデータ２８が記憶されている。例えば、これらの各ガイドデータのタイトルに展示品識別情報を含めておく。即ち、どのガイドデータがどの展示品を説明するものかを区別する情報を付加する。登録手段５１はこの情報を読み取って、展示品識別情報リスト５２を生成する。展示品識別情報リスト５２は図１に示したリーダライタ装置１６に記憶される。一方、各展示品には、図２を用いて説明したように、例えば、ＩＣタグやバーコードからなる展示品識別情報表示手段が設けられている。これらは、展示品２６や展示品２６の展示台３８等に取り付けられる。ＩＣタグならば、問い合わせ回路３６は無線で展示品識別情報５０を取得することができる。バーコードならばハンディスキャナを用いて展示品識別情報５０を取得することができる。簡単なコードで対照品目が少ないときは、管理者が展示品識別情報５０をリーダライタ装置１６に手入力してもよい。
【００３８】
図５の問い合わせ回路３６は、リーダライタ装置１６を展示品２６の近くに配置した時、展示品２６を区別するためのＩＣタグ４０と通信を行い、展示品識別情報５０を取得する機能を持つ。照合手段５４は、装置の起動時に、あるいは所定のタイミングで、問い合わせ回路３６の取得した展示品識別情報５０と、展示品識別情報リスト５２とを比較して、その比較結果をディスプレイ５６に出力する機能を持つ。ディスプレイ５６は、リーダライタ装置に設けられた小さな液晶ディスプレイ等であればよい。また、サーバとリーダライタ装置とがネットワークを介して接続されている時には、サーバ側にこのようなディスプレイやプリンタが設けられていればよい。また、このリーダライタ装置にはタイマ５５が設けられている。タイマ５５は、例えば５分おきに照合手段５４を起動する。照合手段５４はそのつど、上記の照合処理を行う。もし、美術品が盗難等により持ち去られたような場合に警報を発するような構成も可能である。
【００３９】
この展示品識別情報リスト５２は、リーダライタ装置１６の近くにある全ての展示品の展示品識別情報を取得するとよい。また、この展示品識別情報リスト５２は、例えば、これらの展示品のガイドデータを全て記憶しているとよい。照合手段５４は、ガイドデータが展示品に比較して不足している場合と、展示品がガイドデータに比較して不足している場合の両方の場合に警告メッセージ等を出力する。これにより、近くに無い展示品のガイドデータを送信することがなく、また、いずれかの展示品のガイドデータが不足するといったことが無くなる。管理者は、このメッセージに従って、ガイドデータを補充したり、展示品のレイアウトを修正する。警告の出力には、発音装置を用いても、画像表示ディスプレイ等を用いて表示してもよい。
【実施例４】
【００４０】
図６は、実施例４による電子ガイドシステムの変形例斜視図である。
例えば、この図に示した例では、２つのショーケース５８の内部にそれぞれ展示品２６が収納されている。透明ガラス状のショーケース５８によって展示品２６を保管し鑑賞できるようにしている。そのすぐ横に、柱状のスタンド５９を配置する。スタンド５９の頭部には既に説明したリーダライタ装置１６が埋め込まれている。各リーダライタ装置１６は、それぞれ無線ＬＡＮに接続をする機能が設けられている。そして、サーバ６２のルータ６１と無線通信を行う。このような構成にすると、サーバ６２側に全てのガイドデータ２８を記憶しておくことができる。展示品の近くに配置されたスタンド５９の近くに電子ガイド装置１４を近づけると、表示デバイス１８に表示する内容を変更することができる。
【００４１】
いずれかのスタンド５９で電子ガイド装置１４の接近を検出すると、電子ガイド装置１４から取得した利用者識別情報２２がサーバに送信される。同時に、展示品識別情報５０も送信される。サーバ６２は、該当する展示品の説明のための該当する利用者の種別に応じたガイドデータを選択する。そして、そのガイドデータがリーダライタ装置に転送される。リーダライタ装置１６はこのガイドデータを電子ガイド装置１４に送信する。また、リーダライタ装置１６は、予め定められた時刻に、繰り返し所定のタイミングで、近くにある展示品２６の展示品識別情報５０を自動的に取得する。この情報はサーバに送信される。サーバには、展示品識別情報リストを記憶させておく。リーダライタ装置１６と展示品２６とを対応させた展示品識別情報リストがあれば、サーバ側で展示品の適正配置を点検し監視できる。
【００４２】
なお、展示場の入り口付近では、展示場全体の案内を必要とする。例えば、特殊な言語を使用する外国人等に対して、展示場案内が完備しているとは限らない。このときは、利用者の種別に応じた展示場案内をガイドデータ２８に含めるとよい。そのガイドデータを送信するリーダライタ装置１６を独立に設けてもよいし、展示場の入り口付近のリーダライタ装置１６が、そのガイドデータを送信できるようにしておけばよい。
【００４３】
図７は電子ガイド装置のハードウエアブロック図である。
電子ガイド装置１４はマイクロプロセッサにより制御される。内部バス１１０には、ＣＰＵ（中央処理装置）１１１と、ＲＯＭ（リードオンリメモリ）１１２と、ＲＡＭ（ランダムアクセスメモリ）１１３と、入出力インタフェース１１５とが接続されている。入出力インタフェース１１５には、送信機２４と受信機３０と表示デバイス１８とが接続されている。受信機３０で受信されたデータが入出力インタフェース１１５を介して受け入れられ、表示デバイス１８の書き換え制御等を行う。利用者識別情報２２はＲＡＭ１１３に記憶される。ＲＯＭ１１２は書き換え制御回路２０の動作プログラムを記憶している。電源回路３２はコイル３３を通じて電力を受け入れて、送信機２４と受信機３０と表示デバイス１８とＣＰＵ１１１を駆動する。ＲＡＭは不揮発性メモリであって、書き換え時のみ電力を消費する。故に、装置各部は利用者識別情報２２と表示デバイス１８の送受信動作時以外は電力を消費しない。
【００４４】
図８はリーダライタ装置のハードウエアブロック図である。
リーダライタ１６はマイクロプロセッサにより制御される。内部バス１２０には、ＣＰＵ（中央処理装置）１２１と、ＲＯＭ（リードオンリメモリ）１２２と、ＲＡＭ（ランダムアクセスメモリ）１２３と、ＵＳＢインタフェース１２４と、入出力インタフェース１２５とが接続されている。ＵＳＢインタフェース１２４には、データメモリ１２７が接続されている。データメモリ１２７にガイドデータが記憶されている。入出力インタフェース１２５には、送信部１３１と受信部１３２とが接続されている。送信部１３１はＣＰＵ１２１の処理により問い合わせ回路として動作する。また、電子ガイド装置１４に対してガイドデータを送信する。受信部１３２はＣＰＵ１２１の処理によりデータ書き込み回路として動作する。利用者識別情報２２や選択テーブル２３はＲＡＭ１２３に記憶される。商用電源１３３は送信部１３１、受信部１３２、ＣＰＵ１３３等を制御する。ＲＯＭ１２２はＣＰＵ１２１の実行するプログラムを記憶する。
【００４５】
図９は、受付端末装置のブロック図である。
図の装置は、コンピュータ１４１とＵＳＢハブ１４２と通信装置１４３とを備える。例えば、このコンピュータ１４１は、美術館の全展示品のガイドデータを記憶しており、ＵＳＢハブ１４２を用いて、そのガイドデータを展示品識別情報とともにデータメモリ１２７に記憶させる機能を有する。データメモリ１２７はリーダライタ装置１６（図６）の数だけ用意される。そして、それぞれ各所に配置された該当するリーダライタ装置１６に装着される。また、このコンピュータ１４１は、美術館の受け付けに配置されている。そして、利用者の入場時に利用者の種別を入力するために使用される。利用者の種別は、コンピュータ１４１のマウス等を使用して入力される。利用者の種別は自動生成されたシリアル番号とともに、通信装置１４３を通じて電子ガイド装置１４に送信される。電子ガイド装置１４はこの処理によって、これを所持する利用者を区別するシリアル番号とともにその利用者の種別を記憶する。この電子ガイド装置１４を利用者がそれぞれ所持して、美術館の各展示品の前でガイドデータを取得する。例えば、このコンピュータ１４１を無線ＬＡＮを通じて館内のリーダライタ装置１６と接続すれば、ガイドデータ等の集中管理ができるが、この例では、館内のリーダライタ装置１６を全て独立させることができる。従って、システムが非常に簡素化できる。
【実施例５】
【００４６】
図１０は受付端末装置の動作例フローチャートである。
上記の装置をコンピュータプログラムで制御したときの動作例を説明する。図８で説明したコンピュータを使用して、まず、ステップＳ１１で、利用者受付処理をする。この処理では、受け付け係がコンピュータ７１に、キーボードやマウスを用いて利用者の種別を入力する。その結果はコンピュータ７１の記憶装置に記憶される。ステップＳ１２では、コンピュータ７１の内部でシリアル番号を付加して利用者識別情報の生成をする。ステップＳ１３では、コンピュータ７１に接続された通信装置７２が電子ガイド装置１４との通信を確立する。ステップＳ１４では、コンピュータ７１から電子ガイド装置１４に対して利用者識別情報を送信する。続いてこのコンピュータ７１は、ステップＳ１５で展示場案内を表示するためのデータを電子ガイド装置１４に送信する。これで、電子ガイド装置１４に展示場案内が表示されて、利用者の受け付け処理が終了する。
【００４７】
図１１は電子ガイド装置の初期設定動作例フローチャートである。
電子ガイド装置１４では、美術館の入り口で受け付け処理時に次のような動作が実行される。まず、ステップＳ２１で、コンピュータ７１の通信装置７２に電子ガイド装置１４を接近させることにより、電磁誘導を受けて電源回路が起動する。この電源電力は電子ガイド装置１４の各部へ供給される。ステップＳ２２では、電子ガイド装置１４の受信機３０が起動する。ステップＳ２３では、書き換え制御回路２０が起動をする。ステップＳ２４では、受信機３０がコンピュータ７１から利用者識別情報２２を受信する。ステップＳ２５で、この利用者識別情報２２を記憶装置１２に記憶する。ステップＳ２６では、コンピュータ７１から展示場案内を受信する。そしてステップＳ２７で、書き換え制御回路２０は、表示デバイス１８に展示場案内を転送して表示させる。
【００４８】
図１２はリーダライタ装置の初期設定動作例フローチャートである。
ステップＳ３１では、例えば、通常業務の開始直前にガイドデータメモリを例えば、ＵＳＢインタフェースに装着する。ガイドデータメモリには、このリーダライタ装置１６の担当する展示品のガイドデータと展示品識別情報リストとが記憶されている。ステップＳ３２で、ガイドデータメモリから展示品識別情報リストを取得する。ステップＳ３３で、その展示品識別情報を記憶装置に記憶させて登録する。次に、ステップＳ３４で、周辺に配置された展示品に対して問い合わせ信号を送信する。ステップＳ３５では、展示品から展示品識別情報を受信する。その後、ステップＳ３６で、登録された展示品識別情報リストと展示品から受信した展示品識別情報とを照合する。この処理は照合手段５４（図５）が行う。
【００４９】
ステップＳ３７では、不一致分の警告表示生成をする。展示品が不足している場合とガイドデータが不足している場合とがあるから、それぞれについて、その旨のメッセージを生成する。ステップＳ３８では、その照合結果を図５に示したようにディスプレイ５６に表示する。過不足があれば、管理者が展示品の配置を修正したり、ガイドデータを補充する。過不足がないときは通常業務を開始できる。次に、ステップＳ３９で、タイマ５５をスタートする。これは、防犯警報処理である。ステップＳ４０でタイマ５５がタイムアップをすると、ステップＳ３４に戻る。タイマ５５は例えば、５分毎にタイムアップする。従って、継続的に展示品の存在を確認して、もし、盗難等があったときは、警報を発することができる。
【００５０】
図１３はリーダライタ装置の通常動作例フローチャートである。
ステップＳ４１で、リーダライタ装置１６は電子ガイド装置に対して問い合わせ信号を送信する。ステップＳ４２で、リーダライタ装置１６は電子ガイド装置１４から利用者識別情報を受信する。ステップＳ４３では、順位カウンタ４７（図４）をインクリメントする。初期値をゼロに設定しておくと、ステップＳ４４で１番目に配列されたガイドデータを選択する。ステップＳ４５でガイドデータを電子ガイド装置１４に送信する。その後、再度同じ利用者識別情報を受信したときは、順位カウンタ４７（図４）をインクリメントして、２番目に配列されたガイドデータを選択する。こうして、順次、異なる展示品のガイドデータを送信できる。
【００５１】
図１４は、電子ガイド装置の通常動作例フローチャートである。
電子ガイド装置をリーダライタ装置に近づけると、ステップＳ５１で電源回路３２が起動する。ステップＳ５２で受信機３０が起動する。ステップＳ５３で送信機２４が起動する。ステップＳ５４で書き換え制御回路２０が起動する。この状態でステップＳ５５で、リーダライタ装置１６から問い合わせ信号を受信する。ステップＳ５６では、送信機２４がリーダライタ装置に利用者識別情報を送信する。その結果、リーダライタ装置からステップＳ５７で、利用者の種別に応じたガイドデータを受信する。そして、ステップＳ５８で、ガイドデータを表示する。
【００５２】
なお、上記の装置で実行されるコンピュータプログラムは、機能ブロックで図示した単位でモジュール化されてもよいし、複数の機能ブロックを組み合わせて一体化されてもよい。また、上記のコンピュータプログラムは、既存のアプリケーションプログラムに組み込んで使用してもよい。本発明を実現するためのコンピュータプログラムは、例えばＣＤ−ＲＯＭのようなコンピュータで読み取り可能な記録媒体に記録して、任意の情報処理装置にインストールして利用することができる。
【図面の簡単な説明】
【００５３】
【図１】実施例１の電子ガイドシステムを示すブロック図。
【図２】美術館の展示場の一部外観図。
【図３】使用者識別情報の説明図。
【図４】実施例２に使用するリーダライタ装置の主要部ブロック図。
【図５】実施例３のリーダライタ装置ブロック図。
【図６】実施例４による電子ガイドシステムの斜視図。
【図７】電子ガイド装置のハードウエア例ブロック図。
【図８】リーダライタ装置のハードウエア例ブロック図。
【図９】受付端末装置のブロック図。
【図１０】受付端末装置の動作例フローチャート。
【図１１】電子ガイド装置の初期設定動作例フローチャート。
【図１２】リーダライタ装置の初期設定動作例フローチャート。
【図１３】リーダライタ装置の通常動作例フローチャート。
【図１４】電子ガイド装置の通常動作例フローチャート。
【符号の説明】
【００５４】
１０  電子ガイドシステム、１２  記憶装置、１４  電子ガイド装置、１６  リーダライタ装置、１７  アンテナ、１８  表示デバイス、２０  書き換え制御回路、２２  利用者識別情報、２３  選択テーブル、２４  送信機、２８  ガイドデータ、２９  記憶装置、３０  受信機、３１  アンテナ、３２  電源回路、３３  コイル、３４  電力供給回路、３５  コイル、３６  問い合わせ回路、３７  データ書き込み回路
【図１】
2008077564.tif 000003
【図２】
2008077564.tif 000004
【図３】
2008077564.tif 000005
【図４】
2008077564.tif 000006
【図５】
2008077564.tif 000007
【図６】
2008077564.tif 000008
【図７】
2008077564.tif 000009
【図８】
2008077564.tif 000010
【図９】
2008077564.tif 000011
【図１０】
2008077564.tif 000012
【図１１】
2008077564.tif 000013
【図１２】
2008077564.tif 000014
【図１３】
2008077564.tif 000015
【図１４】
2008077564.tif 000016